(57)【特許請求の範囲】
【請求項１】
筒状のレンズ保持枠と、
前記レンズ保持枠の一端部に当接するレンズと、
前記レンズ保持枠を内部に挿入し、前記レンズ保持枠とともに前記レンズを保持する、筒状のレンズ保持部材と、
前記レンズ保持枠の一端部、前記レンズおよび前記レンズ保持部材に密着するシール部材と、を備え、
前記シール部材は、前記レンズ保持部材および前記レンズが互いに接触する接触部に対向して位置し、
前記レンズ保持枠の一端部は、前記レンズおよび前記レンズ保持部材の間に一連の間隙を形成する凹部を備え、
前記シール部材は、前記凹部の内部に収容され、前記接触部に対向して位置し、前記接触部と前記凹部の底面との間に配置され、
前記シール部材は、
前記接触部よりも前記レンズ保持部材側に位置し、前記レンズ保持部材に密着するように前記レンズ保持部材へ向けて突き出す第１突条部と、
前記接触部よりも前記レンズ側に位置し、前記レンズに密着するように前記レンズへ向けて突き出す第２突条部と、を備える
レンズ鏡筒。
【請求項２】
前記レンズ保持部材は、
前記レンズ保持枠の一端部が内部に嵌め合わされる筒部と、
前記筒部に接続し、前記レンズが嵌まる孔を形成するレンズ嵌合部と、
前記レンズ嵌合部の一端から延びて、前記レンズの一方の面を押さえ付ける押圧片部と、
前記レンズ嵌合部の他端にて、前記レンズ嵌合部の一端から他端へ向かって前記孔を次第に拡大するように傾斜し、前記シール部材が密着する第１斜面部と、を備え、
前記レンズは、他方の面に、外縁部へ向かって厚みを薄くするように傾斜し、前記シール部材が密着する第２斜面部を備え、
前記第１斜面部および前記第２斜面部は、前記凹部と対向する
請求項１に記載のレンズ鏡筒。
【請求項３】
請求項１又は２に記載のレンズ鏡筒を備えたカメラ。
【発明の詳細な説明】
【技術分野】
【０００１】
本発明は、レンズ鏡筒およびカメラに関する。
【背景技術】
【０００２】
カメラは、一般的に、レンズを内部に保持したレンズ鏡筒を備えるものが多い。例えば、特許文献１には、防水性を備えるレンズ鏡筒が開示されている。
【０００３】
特許文献１に記載のレンズ鏡筒は、レンズを保持するレンズ保持鏡筒と、このレンズ保持鏡筒を内部で固定するとともにねじ溝を有する固定部材と、ねじ溝と螺合するねじ溝を有する押さえ部材と、押さえ部材およびレンズ保持鏡筒の隙間を封止する防水シート部材とを備える。この防水シート部材により、押さえ部材およびレンズ保持鏡筒の隙間を介して水がレンズ鏡筒の内部に浸入することが抑制されることが記載されている。
【先行技術文献】
【特許文献】
【０００４】
【特許文献１】特開２００８−２０３２８７号公報
【発明の概要】
【発明が解決しようとする課題】
【０００５】
しかしながら、上記特許文献１に記載のレンズ鏡筒においては、押さえ部材およびレンズ保持鏡筒の隙間を封止する防水シート部材を備えているが、レンズとレンズ保持鏡筒との間の隙間を封止する手段がないため、水が、レンズとレンズ保持鏡筒との間の隙間を通って、レンズ鏡筒の内部に浸入するおそれがある。この水の浸入により、レンズ鏡筒内の部材が腐食、退色等してしまうおそれがある。
【０００６】
また、上記特許文献１のレンズ保持鏡筒では、レンズとレンズ保持鏡筒との間の隙間を封止する手段がないことから、結露の発生のおそれや埃が入るおそれもある。結露の発生によりカメラ（このレンズ保持鏡筒を含むカメラ）の撮影画像・動画が不鮮明となるおそれがあり、また埃によりカメラ（このレンズ保持鏡筒を含むカメラ）の撮影画像・動画にノイズが発生するおそれがある。例えば、このおそれは、常に外界に晒される車載用や監視用のカメラモジュールとしてこのレンズ保持鏡筒を用いる場合（このカメラモジュールの部品としてこの鏡筒を用いる場合も含む）、より高まると考えられる。
【０００７】
車載用や監視用のカメラモジュールでは、広い視野での撮影が要求されることがあり、その場合カメラモジュールに搭載される一番玉のレンズ（以下Ｇ１レンズともいう）として広角のレンズが求められる。この一番玉のレンズができるだけ広角となるように、レンズ保持鏡筒がレンズを保持するために、鏡筒先端部の構造の制限（例えば、一番玉のレンズの被写体側のレンズ表面に、レンズ鏡筒がレンズを保持するためのカシメ部（突起）により画角を狭くすることを防止すること、カメラモジュールの設置スペースが限られていていることや部品点数を削減すること等）がある。車載用や監視用のカメラモジュールでは、この制限を踏まえ、レンズを保持しつつ、防水性等を有するレンズを保持する手段が要求される。
【０００８】
本発明は、こうした実情に鑑みてなされたものであり、その目的は、防水性及び／又は防塵性が高いレンズ鏡筒およびカメラを提供することにあり、好ましくは常に外界に晒される車載用途や監視用用途などに適用可能な、防水性及び／又は防塵性が高いレンズ鏡筒およびカメラを提供することにある。
【課題を解決するための手段】
【０００９】
上記目的を達成するために、本発明の第１の観点に係るレンズ鏡筒は、筒状のレンズ保持枠と、前記レンズ保持枠の一端部に当接するレンズと、前記レンズ保持枠を内部に挿入し、前記レンズ保持枠とともに前記レンズを保持する、筒状のレンズ保持部材と、前記レンズ保持枠の一端部、前記レンズおよび前記レンズ保持部材に密着するシール部材と、を備え、前記シール部材は、前記レンズ保持部材および前記レンズが互いに接触する接触部に対向して位置し、前記レンズ保持枠の一端部は、前記レンズおよび前記レンズ保持部材の間に一連の間隙を形成する凹部を備え、前記シール部材は、前記凹部の内部に収容され、前記接触部に対向して位置し、前記接触部と前記凹部の底面との間に配置され、前記シール部材は、前記接触部よりも前記レンズ保持部材側に位置し、前記レンズ保持部材に密着するように前記レンズ保持部材へ向けて突き出す第１突条部と、前記接触部よりも前記レンズ側に位置し、前記レンズに密着するように前記レンズへ向けて突き出す第２突条部と、を備える。
上記目的を達成するために、本発明の第２の観点に係るカメラは、本発明の第１の観点に係るレンズ鏡筒を備える。
【発明の効果】
【００１０】
本発明によれば、レンズ鏡筒およびカメラにおいて、より防水性及び／又は防塵性を高めることができる。
【図面の簡単な説明】
【００１１】
【図１】本発明の第１実施形態に係るカメラの概略図である。
【図２】第１実施形態に係るレンズ鏡筒の被写体側端部とその近傍を示す斜視図である。
【図３】第１実施形態に係るレンズ鏡筒の断面図であって、図２に示すＡ−Ａ−Ｂ−Ｂ部分の断面図である。
【図４】第２実施形態に係るレンズ鏡筒の断面図であって、図２に示すＡ−Ａ−Ｂ−Ｂ部分に相当する部分の断面図である。
【図５】（ａ）は、第２実施形態に係るレンズ鏡筒の拡大図であって、図４に一点鎖線Ｃで囲まれた部分の拡大図であり、（ｂ）は、第２実施形態に係るレンズ鏡筒において、レンズ保持部材とレンズとの間に段差が生じた場合の拡大図であって、図４に一点鎖線Ｃで囲まれた部分の拡大図である。
【図６】第３実施形態に係るレンズ鏡筒の断面図であって、図２に示すＡ−Ａ−Ｂ−Ｂ部分に相当する部分の断面図である。
【図７】本発明の一変形例に係るレンズ鏡筒の断面図であって、図２に示すＡ−Ａ−Ｂ−Ｂ部分に相当する部分の断面図である。
【発明を実施するための形態】
【００１２】
以下、本発明の実施の形態について、図を参照して説明する。全図を通じて同一の要素には同一の符号を付す。
【００１３】
（第１実施形態）
本発明の第１実施形態に係るカメラ１は、図１に示すように、カメラ本体２と、カメラ本体２に装着される円筒状のレンズ鏡筒１０とを備える。
【００１４】
カメラ本体２は、光軸Ｏを中心とする概ね矩形の撮像面を被写体側に向けた撮像素子６を有する。撮像素子６は、撮像面に結像する像に応じた電気信号を出力する素子であって、例えば、ＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどから構成される。
【００１５】
レンズ鏡筒１０は、カメラ本体２に装着可能に構成されるとともに、光軸Ｏに沿って被写体側から順に並ぶ３枚のレンズＧ１，Ｇ２，Ｇ３を保持する。レンズＧ１，Ｇ２，Ｇ３は、被写体の像を撮像素子６の撮像面に結像する。レンズＧ１は、被写体側に露出した被写体側レンズである。レンズＧ２，Ｇ３はレンズ鏡筒１０の内部に保持される内蔵レンズである。本実施の形態に係る３枚のレンズＧ１，Ｇ２，Ｇ３の各々は、被写体側の面が球面であり、撮像素子側の面が平面の凸レンズである。
【００１６】
なお、各レンズＧ１，Ｇ２，Ｇ３に採用されるレンズ面は、球面、平面、非球面のいずれで形成されてもよい。レンズ面が球面又は平面の場合、各レンズＧ１，Ｇ２，Ｇ３の加工、後述するレンズ保持枠１３への組み立て調整などが容易になり、加工及び組立調整の誤差による光学性能の変化を防ぐことができる。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面であってもよい。また、レンズ面は回折面としてもよく、各レンズＧ１，Ｇ２，Ｇ３は、屈折率分布型レンズ（ＧＲＩＮレンズ）であってもよく、プラスチックレンズであってもよい。
【００１７】
さらに、レンズＧ１，Ｇ２，Ｇ３のレンズ面には、必要に応じて、種々の加工が施されてもよい。この加工の例として、レンズ面の曇り防止、レンズ面での水滴形成の防止などのために、レンズ面を光触媒などによって親水化することを挙げることができる。また、外部にさらされる可能性がある部位に対して、レンズ面の曇り防止、レンズ面での水滴形成の防止などのために、レンズ面を光触媒などによって親水化することを挙げることができる。
【００１８】
なお、内蔵レンズは、２枚に限られず、何枚設けられてもよい。また、内蔵レンズは、設けられなくてもよい。
【００１９】
詳しくは、レンズ鏡筒１０は、被写体側端部とその近傍を示す図２および被写体側端部及びその近傍の拡大断面図である図３に示すように、有底または無底の円筒状に形成されるレンズ保持枠１３と、レンズ保持枠１３を内部に挿入し、レンズ保持枠１３とともにレンズＧ１を保持する、筒状のレンズ保持部材１１と、レンズ鏡筒１０内への水等の異物の侵入を抑制するシール部材２０とを備える。レンズ保持部材１１およびレンズ保持枠１３は、例えば、プラスチック、金属などを材料として作られる。シール部材２０は、例えば、ゴムなどの弾性を有する材料により作られる。
【００２０】
図３は、図２に示すＡ−Ａ−Ｂ−Ｂ部分の断面図であって、レンズ鏡筒１０における被写体側レンズＧ１を保持する部分を拡大して示す。本実施の形態に係るレンズ鏡筒１０は、その周方向に沿って同一の図３に示す断面を有する。
【００２１】
レンズ保持部材１１は、レンズ保持枠１３の一端部としての被写体側端部が内部に嵌め合わされる筒部１１eと、筒部１１ｅに接続しており、レンズＧ１が嵌まる孔を形成するレンズ嵌合部１１ｂと、レンズ嵌合部１１ｂの一端としての被写体側の端部から延びて、レンズＧ１の一方の面としての被写体側の面を押さえ付ける押圧片部１１ｃとを備える。例えば、レンズ保持枠１３の一端部は被写体側の端部であって、レンズ保持枠１３の他端部は撮像素子６側の端部である。
【００２２】
筒部１１eの内周面には、ねじ溝１１ａが形成されている。レンズ保持枠１３の外周面には、レンズ保持部材１１のねじ溝１１ａに螺合するねじ山１３ａが形成されている。レンズ保持部材１１のねじ溝１１ａがレンズ保持枠１３のねじ山１３ａに螺合することで、レンズ保持枠１３に対してレンズ保持部材１１が光軸Ｏ方向に抜けないように嵌め合わされる。
【００２３】
レンズ嵌合部１１ｂは、円環状をなすとともに、筒部１１eの被写体側の端部から光軸Ｏに向かって延出し、図２および図３に示すように、レンズＧ１の周囲を囲む。レンズ保持部材１１がレンズ保持枠１３に嵌め合わされた状態において、レンズ嵌合部１１ｂは、レンズ保持枠１３の被写体側（図３の左側）に位置する。押圧片部１１ｃは、レンズ嵌合部１１ｂの内周面の被写体側の端部から光軸Ｏに向けて延出する。
【００２４】
レンズ嵌合部１１ｂは、図３に示すように、レンズＧ１を内部に保持する。具体的には、レンズ嵌合部１１ｂの内周面Ｓ１と、レンズＧ１の外周部に位置する側周面Ｓ２とが面接触している。レンズＧ１の内面（光軸Ｏに直交する方向に延びる他方の面）は、レンズ保持枠１３の被写体側の端面に接触している。押圧片部１１ｃは、レンズＧ１の被写体側の面の外周端部近傍に接触することで、レンズＧ１の被写体側への面をレンズ保持枠１３へ押さえつける。これにより、レンズＧ１は、レンズ保持枠１３とレンズ保持部材１１とによって、レンズ鏡筒１０内に保持される。
【００２５】
レンズ保持枠１３は、図３に示すように、レンズＧ１及びレンズ保持部材１１のレンズ嵌合部１１ｂの間に一連の間隙を形成する凹部１３ｂを被写体側端部に備える。
【００２６】
詳しくは、凹部１３ｂは、光軸Ｏを中心とする概ね環状の溝であり、被写体側に開放している。凹部１３ｂの底部（撮像面素子側の面部）は、レンズ嵌合部１１ｂの内周面Ｓ１とレンズＧ１の側周面Ｓ２とが接触する部分と対向する位置に形成されている。
【００２７】
シール部材２０は、凹部１３ｂに沿う形状を有し、レンズ保持枠１３の凹部１３ｂの中に配置される。シール部材２０は、レンズＧ１、レンズ嵌合部１１ｂおよび凹部１３ｂに密着する。シール部材２０は、凹部１３ｂの底面に接着剤などを用いて接着され、これによって、凹部１３ｂ内に固定されてもよい。
【００２８】
本実施形態に係るシール部材２０は、図３の断面図に示すように、本体部２１と、本体部２１に設けられ、被写体側又は撮像素子側へ突き出す第１突条部２２ａ、第２突条部２２ｂ、第３突条部２２ｃおよび第４突条部２２ｄとを有する。シール部材２０は、上述の通り、凹部１３ｂに沿う形状を有するので、本実施の形態では概ね環状をなす。そのため、シール部材２０は、光軸Ｏを含む平面における断面が同一である。
【００２９】
詳細には、本体部２１は、光軸Ｏ方向から見て環状をなし、断面が図３に示すように長方形である。図３に示すように、本体部２１は、その断面の長辺がレンズ鏡筒１０の径方向（光軸Ｏに直交する方向）に沿う向きで、凹部１３ｂ内に配置される。レンズ鏡筒１０の径方向における本体部２１の両端と凹部１３ｂの側周面（光軸Ｏに沿って延びる面）との間には隙間が形成されている。
【００３０】
第１突条部２２ａ、第２突条部２２ｂ、第３突条部２２ｃおよび第４突条部２２ｄの各々は、光軸Ｏ方向から見て、凹部１３ｂに沿う連続した突条をなす。そのため、本実施の形態では、第１突条部２２ａ、第２突条部２２ｂ、第３突条部２２ｃおよび第４突条部２２ｄの各々は、光軸Ｏ方向から見て、光軸Ｏを中心とする環状をなす。第１突条部２２ａ、第２突条部２２ｂ、第３突条部２２ｃおよび第４突条部２２ｄの各々は、図３に示すように、断面が半円状であり、各々の頂点が、光軸Ｏの方向において本体部２１から最も離間している。
【００３１】
第１突条部２２ａは、第２突条部２２ｂよりも、光軸Ｏから離間した位置に設けられている。第１突条部２２ａは、レンズ保持部材１１のレンズ嵌合部１１ｂへ向けて突き出している。第２突条部２２ｂは、レンズＧ１へ向けて突き出している。
【００３２】
第３突条部２２ｃは、第４突条部２２ｄよりも、光軸Ｏから離間した位置に設けられている。第３突条部２２ｃ及び第４突条部２２ｄの各々は、本体部２１に設けられ、凹部１３ｂの底面へ向けて突き出している。
【００３３】
レンズ保持部材１１をレンズ保持枠１３にねじ込むにつれて、レンズＧ１およびレンズ嵌合部１１ｂと、凹部１３ｂの底面との間の距離が小さくなる。
【００３４】
レンズ嵌合部１１ｂと凹部１３ｂの底面との距離が小さくなると、光軸Ｏが延びる方向に並んで本体部２１から突き出た第１突条部２２ａおよび第３突条部２２ｃは、レンズ嵌合部１１ｂと凹部１３ｂの底面とにより、光軸Ｏが延びる方向に圧縮される。その結果、第１突条部２２ａは、レンズ嵌合部１１ｂの、凹部１３ｂに対向する面に密着する。第２突条部２２ｂは、レンズＧ１の撮像素子側の面のうち、外縁部近傍に密着する。第１突条部２２ａがレンズ嵌合部１１ｂに密着する位置と、第２突条部２２ｂがレンズＧ１に密着する位置との間に、レンズ嵌合部１１ｂの内周面Ｓ１とレンズＧ１の側周面Ｓ２との接触部が位置する。
【００３５】
また、レンズＧ１と、凹部１３ｂの底面との間の距離が小さくなると、光軸Ｏが延びる方向に並んで本体部２１から突き出た第２突条部２２ｂおよび第４突条部２２ｄは、レンズＧ１の内面と凹部１３ｂの底面とにより、光軸Ｏが延びる方向に圧縮される。その結果、第３突条部２２ｃおよび第４突条部２２ｄの各々は、凹部１３ｂの底面（光軸Ｏに直交する方向に延びる面）に密着する。
【００３６】
従って、レンズ保持部材１１をレンズ保持枠１３にねじ込むことによって、シール部材２０に圧縮力が加わり、これにより、シール部材２０は、水などの異物を通過させない程度にレンズＧ１、レンズ嵌合部１１ｂおよびレンズ保持枠１３に密着する。
【００３７】
以上により、凹部１３ｂ内において、第１突条部２２ａと第２突条部２２ｂとの間の空間は密閉される。このため、たとえ、レンズＧ１の側周面Ｓ２およびレンズ嵌合部１１ｂの内周面Ｓ１の隙間から水又は塵埃が侵入した場合であっても、第１突条部２２ａはレンズ嵌合部１１ｂに密着することで光軸Ｏから離間する方向への異物の侵入を抑制し、第２突条部２２ｂはレンズＧ１に密着することで光軸Ｏへ向かう方向への異物の侵入を抑制することができる。
以上、説明した第１実施形態によれば、以下の効果を奏する。
【００３８】
（１）シール部材２０は、レンズＧ１、レンズ保持部材１１およびレンズ保持枠１３に密着する。シール部材２０の密着によってレンズＧ１とレンズ保持部材１１との間の隙間を介したレンズ鏡筒１０内への水又は塵埃の侵入が抑制される。このため、レンズ鏡筒１０の防水性および防塵性が高められる。
【００３９】
（２）シール部材２０は、凹部１３ｂに沿う形状を有する本体部２１と、レンズ保持部材１１に密着する第１突条部２２ａと、レンズＧ１に密着する第２突条部２２ｂとを備える。第１突条部２２ａおよび第２突条部２２ｂは、光軸Ｏに直交する方向に互いに離間して設けられる。第１突条部２２ａは、接触部から侵入した水等の異物がシール部材２０を超えて光軸Ｏから離間する方向へ侵入することを抑制する。第２突条部２２ｂは、接触部から侵入した水等の異物がシール部材２０を超えて光軸Ｏへ向かう方向へ侵入することを抑制する。このように、第１突条部２２ａおよび第２突条部２２ｂにそれぞれ単一の機能を持たせることで、その機能がより確実に担保される。具体的には、図３に示すように、レンズ鏡筒１０の形状誤差や組み付け誤差によって、第１突条部２２ａが接するレンズ嵌合部１１ｂの面と、第２突条部２２ｂが接するレンズＧ１の面との間に段差Ｌが生じる場合がある。この場合であっても、本体部２１が段差Ｌに応じて弾性変形することで、第１突条部２２ａがレンズ嵌合部１１ｂに密着し、第２突条部２２ｂがレンズＧ１に密着した状態が保たれる。このため、レンズ鏡筒１０の防水性および防塵性が確保される。
【００４０】
（３）シール部材２０は、レンズＧ１およびレンズ保持部材１１が互いに接触する部分（接触部）と凹部１３ｂの底面との間に配置される。これにより、１つのシール部材２０で、レンズ保持部材１１とレンズ保持枠１３との間への水等の異物の侵入、およびレンズＧ１とレンズ保持枠１３との間への水等の異物の侵入を抑制することができる。このため、シール部材２０をレンズ保持部材１１とレンズ保持枠１３との間、およびレンズ保持枠１３とレンズＧ１との間にそれぞれ設ける必要がなく、レンズ鏡筒１０の防水性および防塵性を確保しつつ部品点数を削減することができる。また、部品点数の削減に伴い、レンズ鏡筒１０、ひいてはカメラ１の小型化を図ることができる。カメラ１は搭載スペースが限られた車両に装着される場合、小型化は特に有利な効果である。
【００４１】
（４）凹部１３ｂは、光軸Ｏの延出方向において接触部に対向する位置に凹状に形成され、その内部にシール部材２０が収容される。凹部１３ｂが形成されることで、シール部材２０のレンズ保持枠１３への装着が容易となる。
【００４２】
（５）上記実施形態では、レンズ鏡筒１０を備えたカメラ１は車外に装着される。この種のカメラ１は、雨等に晒されるため、より高い防水性および防塵性が要求される。この点、上記実施形態のレンズ鏡筒１０は、防水性および防塵性が高いため、特に車外に装着されるカメラに適している。
【００４３】
（６）レンズ鏡筒１０の径方向における本体部２１の両端と凹部１３ｂの側周面（光軸Ｏに沿って延びる面）との間には隙間が形成されている。よって、第１〜第４突条部２２ａ〜２２ｄからレンズＧ１、レンズ嵌合部１１ｂおよび凹部１３ｂの底面に加わる力が分散されることが抑制され、防水性および防塵性が向上する。
【００４４】
（７）レンズ保持部材１１をレンズ保持枠１３に螺合することで、レンズ保持部材１１とレンズ保持枠１３との間にレンズＧ１が保持される。ここで、レンズ保持部材がない構成においては、レンズＧ１を保持するため、レンズ保持枠の樹脂を溶かす熱かしめを行うことが考えられる。この方法においては、熱かしめを利用するため、レンズＧ１を保持する部分の形状精度が低く、この部分が想定よりレンズＧ１の表面中央側に形成されるおそれもある。このため、この方法は、広い画角が必要となる広角レンズには適していない。その点、上記実施形態では、レンズ保持部材１１をレンズ保持枠１３に螺合することで、高い形状精度で、レンズ保持部材１１を通じてレンズＧ１をレンズ鏡筒１０に装着することができる。このため、上記実施形態のレンズ鏡筒１０は、広い画角が必要となる広角レンズにも適している。
【００４５】
（第２実施形態）
本発明の第２実施形態に係るレンズ鏡筒２１０について図４および図５を参照して説明する。ここで、第２実施形態に係るレンズ鏡筒２１０が備える構成のうち、第１実施形態と同じ構成についてはその説明を省略し、第１実施形態と異なる構成についてのみ説明する。
【００４６】
本実施形態に係るレンズ鏡筒２１０は、図４の断面図に示すように、弾性変形可能な例えばゴムなどの弾性を有する材料で作られたシール部材３０を備える。本実施の形態に係るシール部材３０は、断面が円形のＯリングである。シール部材３０は、レンズＧ１およびレンズ嵌合部１１ｂと、凹部１３ｂの底面との間で圧縮されることによって、図４に示すように変形している。
【００４７】
レンズ嵌合部１１ｂは、レンズ嵌合部１１ｂの撮像素子側端部において、レンズ嵌合部１１ｂの被写体側端部から撮像素子側端部へ向かって、レンズＧ１が嵌まる孔を次第に拡大するように傾斜した第１斜面部１１ｄを有する。言い換えると、第１斜面部１１ｄは、レンズ嵌合部１１ｂの内周面Ｓ１とレンズＧ１の側周面Ｓ２との境界面に近づくにつれて、凹部１３ｂの底面から離れて被写体側へ向かうように傾斜している。
【００４８】
第１斜面部１１ｄは、例えば、レンズ嵌合部１１ｂのうち凹部１３ｂ内に露出する角部が面取りされることで形成される。
【００４９】
レンズＧ１は、その撮像素子側の面に、レンズＧ１の外縁部へ向かって厚みを薄くするように傾斜した第２斜面部Ｇ１ａを有する。言い換えると、第２斜面部Ｇ１ａは、レンズ嵌合部１１ｂの内周面Ｓ１とレンズＧ１の側周面Ｓ２との境界面に近づくにつれて、凹部１３ｂの底面から離れて被写体側へ向かうように傾斜している。
【００５０】
第２斜面部Ｇ１ａは、例えば、レンズＧ１のうち凹部１３ｂ内に露出する角部が面取りされることで形成される。
【００５１】
レンズＧ１の側周面Ｓ２とレンズ嵌合部１１ｂの内周面Ｓ１とが面接触した状態では、第１斜面部１１ｄと第２斜面部Ｇ１ａとによって、図４に示すように、断面が三角形の穴形状を有するシール保持穴部２５が形成される。
【００５２】
シール部材３０は、凹部１３ｂの底面と、第１斜面部１１ｄおよび第２斜面部Ｇ１ａとの間で圧縮される。このとき、シール部材３０の一部が密着部３０ａとしてシール保持穴部２５に応じた形状に弾性変形しつつ、第１斜面部１１ｄおよび第２斜面部Ｇ１ａに密着する。
【００５３】
詳しくは、図５（ａ）に示すように、第２斜面部Ｇ１ａは、シール部材３０の密着部３０ａの下部（第１部分）を上方へ、すなわち、第１斜面部１１ｄへ向かう力Ｆ２で押圧する。第１斜面部１１ｄは、図５（ａ）に示すように、シール部材３０の密着部３０ａの上部（第２部分）を下方へ、すなわち、第２斜面部Ｇ１ａへ向かう力Ｆ１で押圧する。これらの力Ｆ１，Ｆ２によって、シール部材３０の密着部３０ａが第１斜面部１１ｄおよび第２斜面部Ｇ１ａのそれぞれに密着した状態に保たれる。また、シール部材３０の密着部３０ａは、第１斜面部１１ｄおよび第２斜面部Ｇ１ａに挟まれることによって、シール保持穴部２５内に保持されている。
【００５４】
以上、説明した第２実施形態によれば、上記（２）を除く第１実施形態の効果に加え、特に以下の効果を奏する。
【００５５】
（８）レンズＧ１には、レンズＧ１の側周面Ｓ２に近づくにつれて被写体側に向かう方向に傾斜した、シール部材３０が密着する第１斜面部１１ｄが形成されている。レンズ保持部材１１には、レンズＧ１の側周面Ｓ２と接触する面に近づくにつれて被写体側に向かう方向に傾斜した、シール部材３０が密着する第２斜面部Ｇ１ａが形成されている。そして、シール部材３０の密着部３０ａは、光軸Ｏに直交する方向において、レンズ嵌合部１１ｂの第１斜面部１１ｄおよびレンズＧ１の第２斜面部Ｇ１ａの間に位置する。
【００５６】
例えば、図５（ｂ）に示すように、シール部材３０とレンズＧ１との製造誤差や組み付け誤差によって、シール部材３０が接するレンズ嵌合部１１ｂの内面と、シール部材３０が接するレンズＧ１の内面との間に段差Ｌが生じることがある。この場合には、第１斜面部１１ｄと第２斜面部Ｇ１ａとを接続する部分にも段差が形成される。
【００５７】
しかし、このような場合であっても、第１斜面部１１ｄは、シール部材３０の密着部３０ａの上部を下方へ、すなわち、第２斜面部Ｇ１ａへ向かう力Ｆ１で押圧する。また、第２斜面部Ｇ１ａは、シール部材３０の密着部３０ａの下部を上方へ、すなわち、第１斜面部１１ｄへ向かう力Ｆ２で押圧する。
【００５８】
このように、レンズ嵌合部１１ｂとレンズＧ１との間に段差Ｌが生じた場合であっても、第１斜面部１１ｄおよび第２斜面部Ｇ１ａが形成されることで、力Ｆ１，Ｆ２によって、シール部材３０がレンズ嵌合部１１ｂおよびレンズＧ１に密着した状態が保たれる。このため、シール部材３０とレンズＧ１との製造誤差や組み付け誤差に伴う防水性および防塵性の低下が抑制される。
【００５９】
（９）本実施形態では、シール部材３０は、断面が円形のＯリングが利用されている。この種のＯリングは規格品であるため入手が容易であり、レンズ鏡筒２１０の製造が容易となる。
【００６０】
（第３実施形態）
本発明の第３実施形態に係るレンズ鏡筒３１０について図６を参照して説明する。ここで、第３実施形態に係るレンズ鏡筒３１０が備える構成のうち、第２実施形態と同じ構成についてはその説明を省略し、第２実施形態との相違点についてのみ説明する。
【００６１】
本実施形態のレンズ鏡筒３１０は、図６の断面図に示すようなシール部材４０を備える。シール部材４０は、断面が長方形の本体部４０ａと、断面が半円状の突条部４０ｂとを有する。
【００６２】
本体部４０ａは、図６に示す断面において、その長辺がレンズ鏡筒３１０の径方向に沿う向きで、凹部１３ｂの底面に配置されている。突条部４０ｂは、本体部４０ａの被写体側の側周面に設けられる。突条部４０ｂの下部は、第２斜面部Ｇ１ａに密着している。突条部４０ｂの上部は、第１斜面部１１ｄに密着している。
【００６３】
以上、説明した第３実施形態によれば、（９）を除く第２実施形態の効果に加え、特に以下の効果を奏する。
【００６４】
（１０）シール部材４０の本体部４０ａは、断面が長方形状で形成されている。このため、シール部材４０の本体部４０ａと凹部１３ｂの底面との接触面積を大きくすることができる。したがって、凹部１３ｂ内でシール部材４０の位置がずれることが抑制される。
【００６５】
＜変形例＞
なお、上記各実施形態は、これを適宜変更した以下の形態にて実施することができる。
【００６６】
第２実施形態では、レンズＧ１に第２斜面部Ｇ１ａが形成され、レンズ嵌合部１１ｂに第１斜面部１１ｄが形成されていたが、さらに、図７に示すように、凹部１３ｂの底面に第３斜面部１３ｃおよび第４斜面部１３ｄが形成されてもよい。
【００６７】
第３斜面部１３ｃは、シール部材３０を挟んで第２斜面部Ｇ１ａに対向する。第４斜面部１３ｄは、シール部材３０を挟んで第１斜面部１１ｄに対向する。第３斜面部１３ｃおよび第４斜面部１３ｄによって、図７に示すように、断面が三角形である凹みが形成される。この凹みは、光軸Ｏに直交する方向において、接触部に対向する位置で最も深くなるように形成されている。
【００６８】
シール部材３０は、第３斜面部１３ｃおよび第４斜面部１３ｄによって挟まれることで、図５（ａ）に示す第２の実施形態の第１斜面部１１ｄおよび第２斜面部Ｇ１ａと同様に作用して、第３斜面部１３ｃおよび第４斜面部１３ｄに密着した状態が保たれる。これにより、シール部材３０の位置ずれが抑制され、ひいてはシール部材３０の防水性および防塵性の低下が抑制される。この変形例は、第１および第３実施形態にも適用可能である。
【００６９】
上記各実施形態においては、シール部材２０，３０，４０は、凹部１３ｂ内に収容されていたが、この凹部１３ｂを省略してもよい。この場合でも、接着剤等で、シール部材２０，３０，４０をレンズ保持枠１３に接着することで、上記各実施形態と同等の防水性および防塵性が得られる。
【００７０】
第１の実施の形態において、シール部材２０の第１突条部２２ａ、第２突条部２２ｂ、第３突条部２２ｃおよび第４突条部２２ｄのうち、いずれかを省略してもよい。
【００７１】
上記各実施形態に係るレンズ鏡筒１０，２１０，３１０，４１０を備えるカメラ１は、例えば、車外に搭載される車載カメラ、屋外に設置される監視カメラなど、防水性および防塵性が要求される屋外用のカメラに好適に適用される。
【００７２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００７３】
１０，２１０，３１０，４１０  レンズ鏡筒
１１  レンズ保持部材
１１ａ  ねじ溝
１１ｂ  レンズ嵌合部
１１ｃ  押圧片部
１１ｄ  第１斜面部
１１ｅ  筒部
１３  レンズ保持枠
１３ａ  ねじ山
１３ｂ  凹部
２０，３０，４０  シール部材
２２ａ〜２２ｄ  第１〜第４突条部
２５  シール保持穴部
３０ａ  密着部
２１，４０ａ  本体部
４０ｂ  突条部
Ｇ１〜Ｇ３  レンズ
Ｇ１ａ  第２斜面部
【図１】
0006619148.tif 000002
【図２】
0006619148.tif 000003
【図３】
0006619148.tif 000004
【図４】
0006619148.tif 000005
【図５】
0006619148.tif 000006
【図６】
0006619148.tif 000007
【図７】
0006619148.tif 000008